(57)【要約】【課題】通信装置および通信方法を提供する。【解決手段】通信装置は、第１のサブフレームにおける参照信号がマッピングされる第１のOFDMシンボルにマッピングされ、第１のサブフレームとは利用可能なリソース量が異なる第２のサブフレームにおける参照信号がマッピングされる第２のOFDMシンボルにマッピングされ、第１のサブフレーム及び第２のサブフレームで繰り返して送信される、第１の変調シンボルを受信する受信部と、受信された第１の変調シンボルを処理する回路と、を有する。【選択図】図１１
2019216469.tif 000002
【特許請求の範囲】
【請求項１】
第１のサブフレームにおける参照信号がマッピングされる第１のOFDMシンボルにマッピングされ、前記第１のサブフレームとは利用可能なリソース量が異なる第２のサブフレームにおける参照信号がマッピングされる第２のOFDMシンボルにマッピングされ、前記第１のサブフレーム及び前記第２のサブフレームで繰り返して送信される、第１の変調シンボルを受信する受信部と、
受信された前記第１の変調シンボルを処理する回路と、
を有する、通信装置。
【請求項２】
前記受信部は、前記第１のサブフレームにおける参照信号がマッピングされない第３のOFDMシンボルにマッピングされ、前記第２のサブフレームにおける参照信号がマッピングされない第４のOFDMシンボルにマッピングされ、前記第１のサブフレーム及び前記第２のサブフレームで繰り返して送信される、第２の変調シンボルを受信し、
前記回路は、受信された前記第２の変調シンボルを処理する、
請求項１に記載の通信装置。
【請求項３】
前記受信部は、前記第１のサブフレームにおける第５のOFDMシンボルにマッピングされ、前記第２のサブフレームにおける参照信号がマッピングされる第６のOFDMシンボルにマッピングされ、前記第１のサブフレーム及び前記第２のサブフレームで繰り返して送信される、第３の変調シンボルであって、前記第６のOFDMシンボルにおいて、前記参照信号がマッピングされる１つ以上のリソース・エレメントに対応する、前記第３の変調シンボルのうちの１つ以上がパンクチャされている、前記第３の変調シンボルを受信し、
前記回路は、受信された前記第３の変調シンボルを処理する、
請求項１又は２に記載の通信装置。
【請求項４】
前記第１のサブフレーム及び前記第２のサブフレームは、FDDにおいて構成される、
請求項１から３のいずれかに記載の通信装置。
【請求項５】
前記第１のサブフレームは、ダウンリンク又はアップリンクに用いられるノーマル・サブフレームであり、
前記第２のサブフレームは、ダウンリンク及びアップリンクに用いられるスペシャル・サブフレームである、
請求項１から３のいずれかに記載の通信装置。
【請求項６】
前記第１の変調シンボルは、前記第１のOFDMシンボルと前記第２のOFDMシンボルとに、一定の順番でマッピングされている、
請求項１から５のいずれかに記載の通信装置。
【請求項７】
第１のサブフレームにおける参照信号がマッピングされる第１のOFDMシンボルにマッピングされ、前記第１のサブフレームとは利用可能なリソース量が異なる第２のサブフレームにおける参照信号がマッピングされる第２のOFDMシンボルにマッピングされ、前記第１のサブフレーム及び前記第２のサブフレームで繰り返して送信される、第１の変調シンボルを受信し、
受信された前記第１の変調シンボルを処理する、
通信方法。
【請求項８】
前記第１のサブフレームにおける参照信号がマッピングされない第３のOFDMシンボルにマッピングされ、前記第２のサブフレームにおける参照信号がマッピングされない第４のOFDMシンボルにマッピングされ、前記第１のサブフレーム及び前記第２のサブフレームで繰り返して送信される、第２の変調シンボルを受信し、
受信された前記第２の変調シンボルを処理する、
請求項７に記載の通信方法。
【請求項９】
前記第１のサブフレームにおける第５のOFDMシンボルにマッピングされ、前記第２のサブフレームにおける参照信号がマッピングされる第６のOFDMシンボルにマッピングされ、前記第１のサブフレーム及び前記第２のサブフレームで繰り返して送信される、第３の変調シンボルであって、前記第６のOFDMシンボルにおいて、前記参照信号がマッピングされる１つ以上のリソース・エレメントに対応する、前記第３の変調シンボルのうちの１つ以上がパンクチャされている、前記第３の変調シンボルを受信し、
受信された前記第３の変調シンボルを処理する、
請求項７又は８に記載の通信方法。
【請求項１０】
前記第１のサブフレーム及び前記第２のサブフレームは、FDDにおいて構成される、
請求項７から９のいずれかに記載の通信方法。
【請求項１１】
前記第１のサブフレームは、ダウンリンク又はアップリンクに用いられるノーマル・サブフレームであり、
前記第２のサブフレームは、ダウンリンク及びアップリンクに用いられるスペシャル・サブフレームである、
請求項７から９のいずれかに記載の通信方法。
【請求項１２】
前記第１の変調シンボルは、前記第１のOFDMシンボルと前記第２のOFDMシンボルとに、一定の順番でマッピングされている、
請求項７から１１のいずれかに記載の通信方法。
【発明の詳細な説明】
【技術分野】
【０００１】
本開示は、無線通信の分野に関し、特にｅＮｏｄｅ  Ｂ（ｅＮＢ）またはユーザ機器（ｕｓｅｒ  ｅｑｕｉｐｍｅｎｔ（ＵＥ））などの通信装置および通信方法に関する。
【背景技術】
【０００２】
マシンタイプ通信（Ｍａｃｈｉｎｅ−Ｔｙｐｅ  Ｃｏｍｍｕｎｉｃａｔｉｏｎ（ＭＴＣ））は、オペレータにとって重要な収入の流れであり、オペレータの見地からは大きな可能性を持っている。市場およびオペレータの要件に基づけば、ＭＴＣの重要な要件のうちの１つは、ＭＴＣ  ＵＥのカバレッジを改善することである。ＭＴＣカバレッジを増大させるために、物理チャネルのほとんどすべてを増強する必要がある。時間領域における繰り返しは、チャネルのカバレッジを改善するための主要な方法である。受信機側では、受信機は、チャネルの繰り返しのすべてを合成し、情報を復号する。
【０００３】
時分割複信（Ｔｉｍｅ  Ｄｉｖｉｓｉｏｎ  Ｄｕｐｌｅｘｉｎｇ（ＴＤＤ））では、１つのフレーム内のすべてのサブフレームが、ダウンリンク（ｄｏｗｎｌｉｎｋ（ＤＬ））送信またはアップリンク（ｕｐｌｉｎｋ（ＵＬ））送信のために使用されるわけではない。ＬＴＥ仕様のフレーム構造によれば、１つのフレーム内にＤＬサブフレーム、ＵＬサブフレームおよび特殊サブフレーム（Ｓｐｅｃｉａｌ  Ｓｕｂｆｒａｍｅ）がある。特殊サブフレーム内には、ＴＤＤの特殊サブフレーム構造を模式的に図示している図１に示したように、特殊サブフレームは、ＤｗＰＴＳ、ＧＰおよびＵｐＰＴＳを含んでいる。ダウンリンクチャネルをＤｗＰＴＳで送信することができ、アップリンクチャネルをＵｐＰＴＳで送信することができる。
【０００４】
異なる特殊サブフレーム構成に関して、ＤｗＰＴＳおよびＵｐＰＴＳの長さは異なる。ＤｗＰＴＳを例に挙げ、特殊サブフレーム構成によるＤｗＰＴＳの長さを、下記の表（表１）に列挙する。
【表１】
2019216469.tif 000003
【０００５】
ＭＴＣカバレッジ拡張モード（coverage enhancement mode）では、複数のサブフレームに渡って１つのチャネルを繰り返し送信する。ダウンリンクリソースまたはアップリンクリソースを十分に使用し、待ち時間を減少させるために、ダウンリンクチャネルまたはアップリンクチャネルを繰り返して送信するためにＤｗＰＴＳまたはＵｐＰＴＳをも使用する方が良い。特殊サブフレームにおける利用可能なリソースが通常サブフレーム（Ｎｏｒｍａｌ  Ｓｕｂｆｒａｍｅ）において利用可能なものとは異なるので、特殊サブフレームにおけるＤｗＰＴＳまたはＵｐＰＴＳの繰り返しをどのようにマッピングするかが課題になってくる。
【発明の概要】
【０００６】
本開示の第１の態様では、無線通信装置により実行される無線通信方法が提供され、別の無線通信装置へ、少なくとも１つの通常サブフレームおよび少なくとも１つの特殊サブフレームを含む複数のサブフレームで繰り返してデータパケットを送信するステップを含み、特殊サブフレームにおける利用可能なリソースは、通常サブフレームにおけるものとは異なり、データパケットは、複数の変調シンボルセットへと分割される複数の変調シンボルを含み、各サブフレームにおいて、各直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ））シンボルは、変調シンボルセットのうちの１つによりマッピングされ、サブフレーム毎に、同じ変調シンボルセット内の変調シンボルは、一定の順番で１つのＯＦＤＭシンボル内のリソース要素（Ｒｅｓｏｕｒｃｅ  Ｅｌｅｍｅｎｔ（ＲＥ））上へとマッピングされる。
【０００７】
本開示の第２の態様では、無線通信装置により実行される無線通信方法が提供され、別の無線通信装置へ、少なくとも１つの通常サブフレームおよび少なくとも１つの特殊サブフレームを含む複数のサブフレームで繰り返してデータパケットを送信するステップを含み、特殊サブフレームにおける利用可能なリソースは、通常サブフレームにおけるものとは異なり、データパケットの複数の繰り返しは、各サブフレームで送信され、各特殊サブフレームにおいて、異なる繰り返しは、巡回シフトを用いてリソース要素（Ｒｅｓｏｕｒｃｅ  Ｅｌｅｍｅｎｔ（ＲＥ））上へとマッピングされる。
【０００８】
本開示の第３の態様では、無線通信装置により実行される無線通信方法が提供され、別の無線通信装置から、少なくとも１つの通常サブフレームおよび少なくとも１つの特殊サブフレームを含む複数のサブフレームで繰り返して送信されるデータパケットを受信するステップを含み、特殊サブフレームにおける利用可能なリソースは、通常サブフレームにおけるものとは異なり、データパケットは、複数の変調シンボルセットへと分割される複数の変調シンボルを含み、各サブフレームにおいて、各直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ））シンボルは、変調シンボルセットのうちの１つによりマッピングされ、サブフレーム毎に、同じ変調シンボルセット内の変調シンボルは、一定の順番で１つのＯＦＤＭシンボル内のリソース要素（Ｒｅｓｏｕｒｃｅ  Ｅｌｅｍｅｎｔ（ＲＥ））上へとマッピングされる。
【０００９】
本開示の第４の態様では、無線通信装置により実行される無線通信方法が提供され、別の無線通信装置から、少なくとも１つの通常サブフレームおよび少なくとも１つの特殊サブフレームを含む複数のサブフレームで繰り返して送信されるデータパケットを受信するステップを含み、特殊サブフレームにおける利用可能なリソースは、通常サブフレームにおけるものとは異なり、データパケットの複数の繰り返しは、各サブフレームで送信され、各特殊サブフレームにおいて、異なる繰り返しは、巡回シフトを用いてリソース要素（Ｒｅｓｏｕｒｃｅ  Ｅｌｅｍｅｎｔ（ＲＥ））上へとマッピングされる。
【００１０】
本開示の第５の態様では、無線通信装置が提供され、別の無線通信装置へ、少なくとも１つの通常サブフレームおよび少なくとも１つの特殊サブフレームを含む複数のサブフレームで繰り返してデータパケットを送信するように構成された送信ユニットを備え、特殊サブフレームにおける利用可能なリソースは、通常サブフレームにおけるものとは異なり、データパケットは、複数の変調シンボルセットへと分割される複数の変調シンボルを含み、各サブフレームにおいて、各直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ））シンボルは、変調シンボルセットのうちの１つによりマッピングされ、サブフレーム毎に、同じ変調シンボルセット内の変調シンボルは、一定の順番で１つのＯＦＤＭシンボル内のリソース要素（Ｒｅｓｏｕｒｃｅ  Ｅｌｅｍｅｎｔ（ＲＥ））上へとマッピングされる。
【００１１】
本開示の第６の態様では、無線通信装置が提供され、別の無線通信装置へ、少なくとも１つの通常サブフレームおよび少なくとも１つの特殊サブフレームを含む複数のサブフレームで繰り返してデータパケットを送信するように構成された送信ユニットを備え、特殊サブフレームにおける利用可能なリソースは、通常サブフレームにおけるものとは異なり、データパケットの複数の繰り返しは、各サブフレームで送信され、各特殊サブフレームにおいて、異なる繰り返しは、巡回シフトを用いてリソース要素（Ｒｅｓｏｕｒｃｅ  Ｅｌｅｍｅｎｔ（ＲＥ））上へとマッピングされる。
【００１２】
本開示の第７の態様では、無線通信装置が提供され、別の無線通信装置から、少なくとも１つの通常サブフレームおよび少なくとも１つの特殊サブフレームを含む複数のサブフレームで繰り返して送信されるデータパケットを受信するように構成された受信ユニットを備え、特殊サブフレームにおける利用可能なリソースが、通常サブフレームにおけるものとは異なり、データパケットは、複数の変調シンボルセットへと分割される複数の変調シンボルを含み、各サブフレームにおいて、各直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ））シンボルは、変調シンボルセットのうちの１つによりマッピングされ、サブフレーム毎に、同じ変調シンボルセット内の変調シンボルは、一定の順番で１つのＯＦＤＭシンボル内のリソース要素（Ｒｅｓｏｕｒｃｅ  Ｅｌｅｍｅｎｔ（ＲＥ））上へとマッピングされる。
【００１３】
本開示の第８の態様では、無線通信装置が提供され、別の無線通信装置から、少なくとも１つの通常サブフレームおよび少なくとも１つの特殊サブフレームを含む複数のサブフレームで繰り返して送信されるデータパケットを受信するように構成された受信ユニットを備え、特殊サブフレームにおける利用可能なリソースは、通常サブフレームにおけるものとは異なり、データパケットの複数の繰り返しは、各サブフレームで送信され、各特殊サブフレームにおいて、異なる繰り返しは、巡回シフトを用いてリソース要素（Ｒｅｓｏｕｒｃｅ  Ｅｌｅｍｅｎｔ（ＲＥ））上へとマッピングされる。
【００１４】
上記は、要約であり、したがって、必要に応じて、単純化、一般化、および詳細の省略を含んでいる。本明細書において説明する装置および／もしくはプロセスならびに／または他の主題の他の態様、特徴、および、利点は、本明細書において記述する教示から明らかになるであろう。詳細な説明において下記にさらに説明する単純化した形態で概念の選択を紹介するために、要約を提供する。この要約は、特許請求した主題の鍵となる特徴または必須の特徴を特定するものではなく、特許請求した主題の範囲を決定する際の助けとして使用されるものでもない。
【００１５】
本開示の前述の特徴および他の特徴は、添付の図面とともに下記の説明および別記の特許請求の範囲からより完全に明らかになるであろう。これらの図面が、本開示によるいくつかの実施形態だけを描き、したがって本開示の範囲を限定するように考えるべきではないことを理解して、本開示は、添付の図面を使用してさらなる特殊性および詳細とともに説明される。
【図面の簡単な説明】
【００１６】
【図１】ＴＤＤの特殊サブフレーム構造の模式図である。
【図２】本開示の第１の実施形態による送信側における無線通信方法のフローチャートの模式図である。
【図３】第１の実施形態によるリソースマッピングの例の模式図である。
【図４】第１の実施形態の例によるＣＲＳを考慮した例示的なリソースマッピングの模式図である。
【図５】第１の実施形態の例によるＤＭＲＳを考慮した例示的なリソースマッピングの模式図である。
【図６】第１の実施形態の例によるＣＲＳおよびＤＭＲＳの両者を考慮した例示的なリソースマッピングの模式図である。
【図７】第１の実施形態の例による例示的な巡回リソースマッピングの模式図である。
【図８】本開示の例によるＲＳ  ＲＥを取り扱う例の模式図である。
【図９】第１の実施形態による送信側における無線通信装置の模式的ブロック図である。
【図１０】本開示の第１の実施形態による受信側における無線通信方法のフローチャートの模式図である。
【図１１】第１の実施形態による受信側における無線通信装置の模式的ブロック図である。
【図１２】１つのサブフレームで送信される複数の繰り返しの模式図である。
【図１３】本開示の第２の実施形態による巡回シフトを用いたリソースマッピングの例の図である。
【発明を実施するための形態】
【００１７】
下記の詳細な説明では、詳細な説明の一部を形成する添付の図面を参照する。図面では、別段文脈によって示されない限り、類似の記号は類似の構成要素を典型的には特定する。本開示の態様を、そのすべてが明示的に考えられ、この開示の一部を構成する多種多様な異なる構成に配置し、置き換え、組み合わせ、設計することができることが容易に理解されるであろう。
【００１８】
本開示では、無線通信装置により実行される無線通信方法を提供する。本明細書では、無線通信方法を任意のタイプの無線通信、例えば、限定しないが、ＬＴＥ仕様に準拠する通信、好ましくはＭＴＣに適用することができる。同様に、無線通信装置を、ｅＮＢまたはＵＥなどの無線通信機能を有する任意の装置とすることができる。加えて、下記の説明では、ＴＤＤおよびダウンリンク送信を、本開示を説明するための例として取り上げることができるが、本開示は、ＴＤＤおよびダウンリンク送信に限定されずに、ＦＤＤおよびアップリンク送信にも適用することができることに留意されたい。
【００１９】
（第１の実施形態）
本開示の第１の実施形態では、第１の実施形態による無線通信方法２００のフローチャートを模式的に図示している図２に示したように、無線通信装置（第１の無線通信装置）により実行される無線通信方法２００を提供する。無線通信方法２００は、別の無線通信装置（第２の通信装置）へ、少なくとも１つの通常サブフレーム（Ｎｏｒｍａｌ  Ｓｕｂｆｒａｍｅ）および少なくとも１つの特殊サブフレーム（Ｓｐｅｃｉａｌ  Ｓｕｂｆｒａｍｅ）を含む複数のサブフレームで繰り返してデータパケットを送信するステップ２０１を含む。この通信方法では、物理チャネルのカバレッジを拡張するために、データパケットを複数のサブフレームで繰り返して送信する。この繰り返し送信は、特にＭＴＣに対して適しているが、ＭＴＣに限定されない。チャネルのカバレッジ拡張を必要とする任意の無線通信に、繰り返し送信を適用することができる。第１の通信装置および第２の通信装置を、具体的な応用シナリオに応じてｅＮＢ、ＵＥなどとすることができる。例えば、通信方法をダウンリンク通信に適用する場合には、第１の通信装置をｅＮＢなどとすることができ、第２の通信装置をＵＥなどとすることができる。同様に、通信方法をアップリンク通信に適用する場合には、第１の通信装置をＵＥなどとすることができ、第２の通信装置をｅＮＢなどとすることができる。第１の実施形態では、繰り返し送信を、通常サブフレームおよび特殊サブフレームという２種類のサブフレームで実行する。通常サブフレームおよび特殊サブフレームを、本明細書では、ＬＴＥ仕様のフレーム構造にしたがって規定されたものとすることができる。しかしながら、通常サブフレームおよび特殊サブフレームを、本明細書では、特殊サブフレームにおける利用可能なリソースが通常サブフレームにおけるものとは異なる限り、別の形で規定されてもよい。
【００２０】
第１の実施形態では、データパケットは、複数の変調シンボルを含み、これらの変調シンボルは、複数の変調シンボルセットへと分割される。各サブフレームにおいて、各直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ））シンボルは、変調シンボルセットのうちの１つによりマッピングされ、サブフレーム毎に、同じ変調シンボルセット内の変調シンボルは、一定の順番で１つのＯＦＤＭシンボル内のリソース要素（Ｒｅｓｏｕｒｃｅ  Ｅｌｅｍｅｎｔ（ＲＥ））上へとマッピングされる。
【００２１】
図３は、第１の実施形態によるリソースマッピングの例を模式的に図示している。図３の左小図は、通常サブフレームのリソースマッピングを示し、右小図は、特殊サブフレームのリソースマッピングを示している。送信しようとするデータパケットは、それぞれサブフレーム内のＲＥ上へとマッピングされる複数の変調シンボルを含む。図３の通常サブフレームに示したように、データパケットには１３２個の変調シンボル＃０〜１３１があり、これらは通常サブフレームのＤＬチャネル内の１３２個のＲＥ上へとマッピングされる。１３２個の変調シンボルは、セット＃０〜１０である１１個の変調シンボルセットへと分割され、各セットは通常サブフレームの１つのＯＦＤＭシンボル、すなわち、図３の左小図の１つの列上へとマッピングされる。例えば、変調シンボル＃０〜＃１１を含むセット＃０は、通常サブフレームの繰り返しＤＬチャネルの第１の（最も左の）ＯＦＤＭシンボル上へとマッピングされ、変調シンボル＃１２〜２３を含むセット＃１は、通常サブフレームの繰り返しＤＬチャネルの第２のＯＦＤＭシンボル上へとマッピングされるなどである。この例では、データパケットの１回の完全な繰り返しを、１つの通常サブフレームで送信することができる。
【００２２】
特殊サブフレームに関して、ＤｗＰＴＳにおけるＤＬ送信のために利用可能なリソースを、通常サブフレームにおけるものよりも少なくても良い。その理由は、いくつかのリソースはＧＰおよびＵｐＰＴＳ用に使用され、したがって、１つの特殊サブフレームは、データパケットの１回の完全な繰り返しを送信できないことがあるためである。このケースでは、データパケットの変調シンボルのうちの一部分だけが１つの特殊サブフレームで送信される。しかしながら、第１の実施形態による上記のリソースマッピングルールを、特殊サブフレームにも適用することができる。すなわち、各サブフレームにおいて、各ＯＦＤＭシンボルは、変調シンボルセットのうちの１つによりマッピングされる。例えば、図３の右小図に示したように、変調シンボル＃０〜＃１１を含むセット＃０を、特殊サブフレームの繰り返しＤＬチャネルの第１の（最も左の）ＯＦＤＭシンボル上へとマッピングし、変調シンボル＃１２〜＃２３を含むセット＃１を、特殊サブフレームの繰り返しＤＬチャネルの第２のＯＦＤＭシンボル上へとマッピングするなどである。
【００２３】
加えて、第１の実施形態によれば、サブフレーム毎に、同じ変調シンボルセット内の変調シンボルは、一定の順番で１つのＯＦＤＭシンボル内のＲＥ上へとマッピングされる。言い換えると、データパケットを繰り返して送信するためのすべてのサブフレームに関して、同じセット内の変調シンボルは、サブフレームが通常サブフレームであっても特殊サブフレームであっても同じ順番でそれぞれのサブキャリア上へとマッピングされる。例えば、図３では変調シンボル＃０〜１１を含むセット＃０に関して、通常サブフレームおよび特殊サブフレームの両方に対して、変調シンボル＃０〜１１が上から下へとＯＦＤＭサブフレームのＲＥ上にマッピングされる。言い換えると、同じまたは一定のマッピング順を、通常サブフレームおよび特殊サブフレームの両方に対して使用する。第１の実施形態によれば、マッピング順は、データパケットを繰り返して送信するためのすべてのサブフレームに対して（すなわち、サブフレーム毎に）同じである。
【００２４】
本開示の第１の実施形態によれば、１つの変調シンボルセットを、各サブフレームにおいて１つのＯＦＤＭシンボル上へとマッピングし、同じ変調シンボルセット内の変調シンボルを、サブフレーム毎に一定の順番で１つのＯＦＤＭシンボル内のＲＥ上へとマッピングするので、同じ変調シンボルを、異なる繰り返しまたはサブフレームにおいて、同じサブキャリア上へとマッピングする。したがって、受信機側においてシンボルレベル合成が可能になる。シンボルレベル合成を使用すると、受信機は、各繰り返しのチャネル推定、チャネル等化、および、復調を行う必要がない。これは、ＵＥ、特にＭＴＣ  ＵＥの複雑さおよび電力消費量を削減することに有用である。これは、ＭＴＣ  ＵＥまたは多くの他のＵＥの主な要件である。
【００２５】
図３は、データパケットが特殊サブフレームで送信される場合に、データパケットがＤｗＰＴＳで送信される例としてダウンリンク送信を取り上げているが、データパケットが特殊サブフレームで送信される場合に、データパケットがＵｐＰＴＳで送信されるアップリンク送信に、第１の実施形態をも適用することができることに留意されたい。加えて、特殊サブフレームでの送信のために利用可能なＯＦＤＭシンボルが通常サブフレームにおけるものよりも少ない場合には、データパケットの変調シンボルのうちの一部分だけを１つの特殊サブフレームで送信し、データパケットのすべての変調シンボルを、異なる特殊サブフレームで周期的に送信することができる。例えば、セット＃０〜４を第１の特殊サブフレームで送信し、セット＃５〜９を第２の特殊サブフレームで送信し、セット＃１０およびセット＃０〜３を、第３の特殊サブフレームで送信するなどである。このようにして、すべての変調シンボルは、バランスの取れた繰り返し利得を得ることができる。しかしながら、代替で、異なる特殊サブフレームで送信しようとする変調シンボルの同じ部分を常に切り詰めることが可能である。
【００２６】
さらに、第１の実施形態に対する改善として、参照信号（ｒｅｆｅｒｅｎｃｅ  ｓｉｇｎａｌ（ＲＳ））を、リソースマッピングにおいて考えることができる。好ましい実施形態では、通常サブフレームにおいてＲＳを有するＯＦＤＭシンボルで送信された変調シンボルセットを、特殊サブフレームにおいて（例えば、ＤｗＰＴＳにおいて）ＲＳを有するＯＦＤＭシンボルでも送信することができる。通常サブフレームにおけるＲＳおよび特殊サブフレームにおけるＲＳが同じ種類のＲＳを指すことに留意されたい。例えば、通常サブフレームにおいてＣＲＳを有するＯＦＤＭシンボルで送信された変調シンボルセットは、ＤｗＰＴＳにおいてＣＲＳを有するＯＦＤＭシンボルでも送信され、同様に通常サブフレームにおいてＤＭＲＳを有するＯＦＤＭシンボルで送信された変調シンボルセットも、ＤｗＰＴＳにおいてＤＭＲＳを有するＯＦＤＭシンボルで送信される。加えて、好ましくは、ＤｗＰＴＳにおいてＲＳを有するＯＦＤＭシンボルの数が通常ダウンリンクサブフレームにおけるものよりも少ない場合には、通常ダウンリンクサブフレームにおいてＲＳを有するＯＦＤＭシンボルで送信された変調シンボルセットは、複数の特殊サブフレームのＤｗＰＴＳにおいてＲＳを有するＯＦＤＭシンボルで周期的に送信される。また、好ましくは、通常ダウンリンクサブフレームにおいていずれのＲＳも有さないＯＦＤＭシンボルで送信された変調シンボルセットは、複数の特殊サブフレームのＤｗＰＴＳにおいていずれのＲＳも有さないＯＦＤＭシンボルで周期的に送信される。
【００２７】
図４は、第１の実施形態の例によるＣＲＳを考慮する例示的なリソースマッピングを模式的に図示する。この例では、通常サブフレームにおいてＣＲＳを有するＯＦＤＭシンボルで送信された変調シンボルセットは、ＤｗＰＴＳにおいてＣＲＳを有するＯＦＤＭシンボルで送信される。図４の４つの小図は、それぞれ通常ＤＬサブフレーム、特殊サブフレーム＃１、特殊サブフレーム＃２、および特殊サブフレーム＃３であり、これらの図では、点を付けたＲＥがＣＲＳの位置（ＲＥ）を表している。変調シンボル＃０〜７から構成された変調シンボルセット、変調シンボル＃３２〜３９から構成された変調シンボルセット、および変調シンボル＃７６〜８３から構成された変調シンボルセットが、それぞれ、通常サブフレームにおいてＣＲＳを有するＯＦＤＭシンボル（ＯＦＤＭシンボル＃４、＃７および＃１１）上へとマッピングされ、これらの変調シンボルセットは、特殊サブフレームにおいてＣＲＳを有するＯＦＤＭシンボル（ＯＦＤＭシンボル＃４および＃７）上へもマッピングすることが分かる。加えて、この例では、特殊サブフレームのＤｗＰＴＳにおけるＣＲＳを有するＯＦＤＭシンボルの数が通常ＤＬサブフレームにおけるそれよりも少ないので、通常ダウンリンクサブフレームにおいてＣＲＳを有するＯＦＤＭシンボルで送信された変調シンボルセットは、複数の特殊サブフレームのＤｗＰＴＳにおいてＣＲＳを有するＯＦＤＭシンボルで周期的に送信される。図４に示すように、特殊サブフレーム＃２は、変調シンボル＃７６〜８３から構成されたセットの送信を終わった後で、再び変調シンボル＃０〜７から構成されたセットを送信する。加えて、オプションとして、通常ダウンリンクサブフレームにおいてＣＲＳを有さないＯＦＤＭシンボルで送信された変調シンボルセットを、ＤｗＰＴＳにおいてＣＲＳを有さないＯＦＤＭシンボルで周期的に送信することができる。図４に示した例によれば、ＣＲＳを有するＯＦＤＭシンボルで送信された変調シンボルの間の性能のアンバランスを、マッピングしたサブキャリアを変更せずに緩和している。
【００２８】
図５は、第１の実施形態の例によるＤＭＲＳを考慮した例示的なリソースマッピングを模式的に図示している。この例では、通常サブフレームにおいてＤＭＲＳを有するＯＦＤＭシンボルで送信された変調シンボルセットは、ＤｗＰＴＳにおいてＤＭＲＳを有するＯＦＤＭシンボルで送信される。図５の５つの小図は、それぞれ、通常ＤＬサブフレーム、表１に規定したような構成１、２、６または７を有する特殊サブフレーム、構成３、４または８を有する特殊サブフレーム、構成９を有する特殊サブフレーム＃１、および構成９を有する特殊サブフレーム＃２であり、これらの図では、点を付けたＲＥがＣＲＳの位置を表し、灰色のＲＥがＤＭＲＳの位置を表している。変調シンボル＃０〜８から構成された変調シンボルセット、変調シンボル＃９〜１７から構成された変調シンボルセット、変調シンボル＃７０〜７８から構成された変調シンボルセット、および変調シンボル＃７９〜８７から構成された変調シンボルセットが、それぞれ通常サブフレームにおいてＤＭＲＳを有するＯＦＤＭシンボル（ＯＦＤＭシンボル＃５、＃６、＃１２および＃１３）上へとマッピングされ、これらの変調シンボルセットを、特殊サブフレームにおいてＤＭＲＳを有するＯＦＤＭシンボル上へもマッピングすることが分かる。加えて、この例では、構成９を有する特殊サブフレームのＤｗＰＴＳにおけるＤＭＲＳを有するＯＦＤＭシンボルの数が通常ダウンリンクサブフレームにおけるものよりも少ないので、通常ダウンリンクサブフレームにおいてＤＭＲＳを有するＯＦＤＭシンボルで送信された変調シンボルセットを、構成９を有する複数の特殊サブフレームのＤｗＰＴＳにおいてＤＭＲＳを有するＯＦＤＭシンボルで周期的に送信することができる。図５に示したように、構成９を有する特殊サブフレーム＃１および＃２は両者とも、それぞれ２つの異なる変調シンボルセットを送信する。加えて、オプションとして、通常ダウンリンクサブフレームにおいてＤＭＲＳを有さないＯＦＤＭシンボルで送信された変調シンボルセットを、ＤｗＰＴＳにおいてＤＭＲＳを有さないＯＦＤＭシンボルで周期的に送信することができる。図５に示す例によれば、ＤＭＲＳの位置が通常ＤＬサブフレームと特殊サブフレームとにおいて異なる場合でさえ、同じ変調シンボルを同じサブキャリア上へとマッピングする。これにより、シンボルレベル合成を可能にする。加えて、ＣＲＳを有するＯＦＤＭシンボルで送信された変調シンボルの間の性能のアンバランスも緩和する。
【００２９】
図６は、第１の実施形態の例によるＣＲＳおよびＤＭＲＳの両者を考慮した例示的なリソースマッピングを模式的に図示している。この例では、通常サブフレームにおいてＣＲＳを有するＯＦＤＭシンボルで送信された変調シンボルセットは、ＤｗＰＴＳにおいてＣＲＳを有するＯＦＤＭシンボルで送信され、通常サブフレームにおいてＤＭＲＳを有するＯＦＤＭシンボルで送信された変調シンボルセットは、ＤｗＰＴＳにおいてＤＭＲＳを有するＯＦＤＭシンボルで送信される。通常サブフレームにおいていずれのＲＳも有さないＯＦＤＭシンボルで送信された変調シンボルセットに関して、これらのうちのいくつかが、ＤｗＰＴＳにおいていずれのＲＳも有さないＯＦＤＭシンボルで送信され、これらのうちのいくつかが、ＤｗＰＴＳにおいてＲＳ（例えば、ＤＭＲＳ）を有するＯＦＤＭシンボルで送信される。言い換えると、通常ダウンリンクサブフレームにおいていずれのＲＳも有さないＯＦＤＭシンボルで送信された変調シンボルセットのうちの少なくとも１つが、ＤｗＰＴＳにおいてＲＳを有するＯＦＤＭシンボルで送信される。ＤｗＰＴＳにおいてＲＳの位置で送信されることになる変調シンボルは、ＲＳの位置でパンクチャされる。すなわち、このような変調シンボルは、ＲＳの位置では送信されない。このようにして、ＲＳを有するＯＦＤＭシンボルおよびＲＳを有さないＯＦＤＭシンボル上へとマッピングした変調シンボルの繰り返し送信を、よりバランスの取れたものにすることが可能である。図４、図５および図６の例に図示した通常サブフレームにおいていずれのＲＳも有さないＯＦＤＭシンボルで送信された変調シンボルセットについてのマッピング方式は、相互に交換することが可能であることに留意されたい。
【００３０】
４つの小図が図６に示され、これらは、それぞれ、通常ＤＬサブフレーム、構成９を有する特殊サブフレーム＃１、構成９を有する特殊サブフレーム＃２、および構成９を有する特殊サブフレーム＃３であり、これらの図では、点を付けたＲＥがＣＲＳの位置を表し、灰色のＲＥがＤＭＲＳの位置を表している。図６に見られるように、変調シンボル＃１２〜１９から構成された変調シンボルセット、変調シンボル＃３８〜４５から構成された変調シンボルセット、および変調シンボル＃８２〜８９から構成された変調シンボルセットを、それぞれ通常サブフレームにおいてＣＲＳを有するＯＦＤＭシンボル（ＯＦＤＭシンボル＃４、＃７および＃１１）上へとマッピングし、さらに、これらの変調シンボルセットは、それぞれ、特殊サブフレーム＃１、＃２および＃３においてＣＲＳを有するＯＦＤＭシンボル上へもマッピングする。変調シンボル＃２０〜２８から構成された変調シンボルセット、変調シンボル＃２９〜３７から構成された変調シンボルセット、変調シンボル＃９０〜９８から構成された変調シンボルセット、および変調シンボル＃９９〜１０７から構成された変調シンボルセットを、それぞれ通常サブフレームにおいてＤＭＲＳを有するＯＦＤＭシンボル（ＯＦＤＭシンボル＃５、＃６、＃１２および＃１３）上へとマッピングし、さらに、これらの変調シンボルセットを、それぞれ特殊サブフレーム＃１および＃３においてＤＭＲＳを有するＯＦＤＭシンボル上へとマッピングする。残りの変調シンボルセットを、通常サブフレームにおいていずれのＲＳも有さないＯＦＤＭシンボル上へとマッピングする。残りの変調シンボルセットの中で、変調シンボル＃４６〜５７から構成された変調シンボルセットおよび変調シンボル＃５８〜６９から構成された変調シンボルセットを、特殊サブフレーム＃２においてＤＭＲＳを有するＯＦＤＭシンボル上へとマッピングする。特殊サブフレーム＃２におけるＤＭＲＳの位置（ＲＥ）はＤＭＲＳを送信するために使用されるので、これらのＲＳの位置上へとマッピングすることになっている変調シンボル（この例では、＃４６、＃５１、＃５６、＃５８、＃６３および＃６８）は、ＤＭＲＳの位置でパンクチャされる、すなわち、図６の特殊サブフレーム＃２に「ｘ」により示したように、これらの位置では送信されない。他の変調シンボルに関して、これらを、特殊サブフレームにおいていずれのＲＳも有さないＯＦＤＭシンボル上へとマッピングすることができる。
【００３１】
図７は、第１の実施形態の例による例示的な巡回リソースマッピングを模式的に図示している。この例では、通常ＤＬサブフレームにおいて送信される変調シンボルセットは、複数の特殊サブフレームのＤｗＰＴＳにおいて周期的に送信される。粒度（granularity）は、時間領域におけるＯＦＤＭシンボルのセットである。図７に示したように、通常ＤＬサブフレームにおいてＯＦＤＭシンボル｛＃３、＃４、＃５、＃６｝、｛＃７、＃８、＃９、＃１０｝、｛＃１１、＃１２、＃１３、＃０｝、．．．で送信された変調シンボルセットは、周期的に特殊サブフレーム＃１、＃２、＃３、．．．で送信される。
【００３２】
上記の例では、ＤｗＰＴＳにおいてＲＳの位置（ＲＥ）で送信することになっている変調シンボルをＲＳの位置でパンクチャし、通常サブフレームにおいてＲＳ  ＲＥに対応するＤｗＰＴＳにおけるＲＥを空白のままにするような方法で、ＲＳ  ＲＥを取り扱うことができる。図８は、本開示の例によるＲＳ  ＲＥを取り扱う例を模式的に図示している。図８では、通常サブフレームにおいてＯＦＤＭシンボル｛＃８、＃９、＃１０、＃１１｝上へとマッピングされる変調シンボルセットを、特殊サブフレームにおいてＯＦＤＭシンボル｛＃２、＃３、＃４、＃５｝上へとマッピングする。変調シンボル＃２６、＃２９、＃３２および＃３５は、特殊サブフレームにおいてパンクチャされる、その訳は、これらの変調シンボルが特殊サブフレームにおいてマッピングされることになるＲＥが、特殊サブフレーム内に「ｘ」により示したＣＲＳ  ＲＥであるためである。加えて、特殊サブフレームのＯＦＤＭシンボル＃５内の「Ｂ」により表されたＲＥは、上記のマッピング方式によれば通常サブフレームのＯＦＤＭシンボル＃１１内のＣＲＳ  ＲＥに対応しており、したがって、特殊サブフレームのＯＦＤＭシンボル＃５内の「Ｂ」により表されたこれらのＲＥは、空白のままである。
【００３３】
図７および図８に示した例によれば、送信シンボルは、ほぼ完全にバランスの取れた性能である。加えて、ＲＳの位置を考慮する必要がなく、したがって実装することが容易である。図８に図示したＲＳ  ＲＥを取り扱う方式は、適切であれば、本開示の他の例または実施形態にも適用することができることに留意されたい。
【００３４】
第１の実施形態では、上記の方法を実行するための無線通信装置（第１の無線通信）も提供する。図９は、本開示の第１の実施形態による無線通信装置９００を図示するブロック図である。無線通信装置９００は、送信ユニット９０１を備えることができ、送信ユニット９０１は、別の無線通信装置（第２の無線通信装置）へ、少なくとも１つの通常サブフレームおよび少なくとも１つの特殊サブフレームを含む複数のサブフレームで繰り返してデータパケットを送信するように構成される。ここでは、特殊サブフレームにおける利用可能なリソースは、通常サブフレームにおけるものとは異なり、データパケットは、複数の変調シンボルセットへと分割される複数の変調シンボルを含み、各サブフレームにおいて、各直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ））シンボルは、変調シンボルセットのうちの１つによりマッピングされ、サブフレーム毎に、同じ変調シンボルセット内の変調シンボルは、一定の順番で１つのＯＦＤＭシンボル内のリソース要素（Ｒｅｓｏｕｒｃｅ  Ｅｌｅｍｅｎｔ（ＲＥ））上へとマッピングされる。方法に関する上記の説明は、再度繰り返さないが、ここでは装置にも当てはまることに留意されたい。
【００３５】
本開示による無線通信装置９００は、様々なデータを処理しかつ無線通信装置９００内のそれぞれのユニットの動作を制御するために関係するプログラムを実行するためのＣＰＵ（中央処理装置（Ｃｅｎｔｒａｌ  Ｐｒｏｃｅｓｓｉｎｇ  Ｕｎｉｔ））９１０、ＣＰＵ９１０による様々な処理および制御を実行するために必要な様々なプログラムを記憶するためのＲＯＭ（読出し専用メモリ（Ｒｅａｄ  Ｏｎｌｙ  Ｍｅｍｏｒｙ））９１３、ＣＰＵ９１０による処理および制御の手続きにおいて一時的に生成される中間データを記憶するためのＲＡＭ（ランダムアクセスメモリ（Ｒａｎｄｏｍ  Ａｃｃｅｓｓ  Ｍｅｍｏｒｙ））９１５、および／または、様々なプログラム、データなどを記憶するための記憶ユニット９１７を任意選択で含むことができる。上記の送信ユニット９０１、ＣＰＵ９１０、ＲＯＭ９１３、ＲＡＭ９１５および／または記憶ユニット９１７などを、データバスおよび／またはコマンドバス９２０を介して相互接続し、相互間で信号を伝送することができる。
【００３６】
上に説明したようなそれぞれのユニットは、本開示の範囲を限定しない。開示の１つの実装形態によれば、上記の送信ユニット９０１の機能を、ハードウェアにより実装することができ、上記のＣＰＵ９１０、ＲＯＭ９１３、ＲＡＭ９１５および／または記憶ユニット９１７を必要としないことがある。あるいは、上記の送信ユニット９０１の機能を、上記のＣＰＵ９１０、ＲＯＭ９１３、ＲＡＭ９１５および／または記憶ユニット９１７などと組み合わせて機能ソフトウェアによっても実装することができる。
【００３７】
したがって、受信側においては、第１の実施形態は、図１０に示したように、無線通信装置（第２の通信装置）により実行される無線通信方法１０００を提供する。無線通信方法１０００は、別の無線通信装置（第１の通信装置）から、少なくとも１つの通常サブフレームおよび少なくとも１つの特殊サブフレームを含む複数のサブフレームで繰り返して送信されるデータパケットを受信するステップ１００１を含む。ここでは、特殊サブフレームにおける利用可能なリソースは、通常サブフレームにおけるものとは異なり、データパケットは、複数の変調シンボルセットへと分割される複数の変調シンボルを含み、各サブフレームにおいて、各直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ））シンボルは、変調シンボルセットのうちの１つによりマッピングされ、サブフレーム毎に、同じ変調シンボルセット内の変調シンボルは、一定の順番で１つのＯＦＤＭシンボル内のリソース要素（Ｒｅｓｏｕｒｃｅ  Ｅｌｅｍｅｎｔ（ＲＥ））上へとマッピングされる。送信側における方法についての上記の説明は、再度繰り返さないが、方法１０００にも当てはまることに留意されたい。
【００３８】
加えて、第１の実施形態では、受信側において上記の方法を実行するための無線通信装置（第２の無線通信）も提供する。図１１は、本開示の第１の実施形態による受信側における無線通信装置１１００を図示しているブロック図である。無線通信装置１１００は、別の無線通信装置（第１の無線通信装置）から、少なくとも１つの通常サブフレームおよび少なくとも１つの特殊サブフレームを含む複数のサブフレームで繰り返して送信されるデータパケットを受信するように構成された受信ユニット１１０１を備えることができる。ここでは、特殊サブフレームにおける利用可能なリソースは、通常サブフレームにおけるものとは異なり、データパケットは、複数の変調シンボルセットへと分割される複数の変調シンボルを含み、各サブフレームにおいて、各直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ））シンボルは、変調シンボルセットのうちの１つによりマッピングされ、サブフレーム毎に、同じ変調シンボルセット内の変調シンボルは、一定の順番で１つのＯＦＤＭシンボル内のリソース要素（Ｒｅｓｏｕｒｃｅ  Ｅｌｅｍｅｎｔ（ＲＥ））上へとマッピングされる。方法についての上記の説明は、再度繰り返さないが、ここではこの装置にも当てはまることに留意されたい。
【００３９】
本開示による無線通信装置１１００は、様々なデータを処理しかつ無線通信装置１１００内のそれぞれのユニットの動作を制御するために関係するプログラムを実行するためのＣＰＵ（中央処理装置（Ｃｅｎｔｒａｌ  Ｐｒｏｃｅｓｓｉｎｇ  Ｕｎｉｔ））１１１０、ＣＰＵ１１１０による様々な処理および制御を実行するために必要な様々なプログラムを記憶するためのＲＯＭ（読出し専用メモリ（Ｒｅａｄ  Ｏｎｌｙ  Ｍｅｍｏｒｙ））１１１３、ＣＰＵ１１１０による処理および制御の手続きにおいて一時的に生成される中間データを記憶するためのＲＡＭ（ランダムアクセスメモリ（Ｒａｎｄｏｍ  Ａｃｃｅｓｓ  Ｍｅｍｏｒｙ））１１１５、および／または、様々なプログラム、データなどを記憶するための記憶ユニット１１１７を任意選択で含むことができる。上記の受信ユニット１１０１、ＣＰＵ１１１０、ＲＯＭ１１１３、ＲＡＭ１１１５および／または記憶ユニット１１１７などを、データバスおよび／またはコマンドバス１１２０を介して相互接続し、相互間で信号を伝送することができる。
【００４０】
上に説明したようなそれぞれのユニットは、本開示の範囲を限定しない。開示の１つの実装形態によれば、上記の受信ユニット１１０１の機能を、ハードウェアにより実装することができ、上記のＣＰＵ１１１０、ＲＯＭ１１１３、ＲＡＭ１１１５および／または記憶ユニット１１１７を必要としないことがある。あるいは、上記の受信ユニット１１０１の機能を、上記のＣＰＵ１１１０、ＲＯＭ１１１３、ＲＡＭ１１１５および／または記憶ユニット１１１７などと組み合わせて機能ソフトウェアによっても実装することができる。
【００４１】
（第２の実施形態）
いくつかの応用シナリオでは、例えば、拡張したカバレッジにおけるＭＴＣ  ＵＥ用の制御チャネルに関して、複数の繰り返しを、図１２に示したように１つのサブフレームで送信することができる。図１２は、１つのサブフレームで送信される複数の繰り返しを模式的に図示している。図１２は、６回の繰り返しが１つのサブフレームで送信されることを例示的に示している。このケースに関して、本開示の第２の実施形態は、無線通信装置（第１の通信装置）により実行される無線通信方法を提供する。無線通信方法は、別の無線通信装置（第２の通信装置）へ、少なくとも１つの通常サブフレームおよび少なくとも１つの特殊サブフレームを含む複数のサブフレームで繰り返してデータパケットを送信するステップを含むことができる。ここでは、特殊サブフレームにおける利用可能なリソースは、通常サブフレームにおけるものとは異なる。第２の実施形態の無線通信方法のフローチャートは、第１の実施形態について図２に示したような同じフローチャートであってもよく、第１の実施形態について説明した詳細が、別段文脈によって示されない限り第２の実施形態にも当てはまることがある。
【００４２】
第２の実施形態では、データパケットの複数の繰り返しが各サブフレームで送信され、各サブフレームにおいて、異なる繰り返しを、巡回シフトを用いてＲＥ上へとマッピングする。シフトグラニュラリティは、シンボルレベルで変調される。図１３は、第２の実施形態による巡回シフトを用いたリソースマッピングの例を図示しており、図１３では、１つのサブフレームでの６回の繰り返しが例として扱われている。図１３の左小図は、通常サブフレームにおいてシフトを用いない通常マッピングを示し、右小図は、通常サブフレームにおいて巡回シフトを用いた修正マッピングを示している。図１３の例では、各ＰＲＢペアは、１つの繰り返しを送信するための３つのサブキャリアを含み、各ＰＲＢペアでは、データパケットの変調シンボルが、例えば、周波数領域において最初に、次いで時間領域においてマッピングする順番でＲＥ上へとマッピングされる。通常マッピングと修正マッピングとの間の相違は下記の通りである。通常マッピングでは、各繰り返しが正確に同じ方式で１つのＰＲＢペア上へとマッピングされる。しかしながら、修正マッピングでは、１つのサブフレームにおける複数の繰り返しの間で、巡回シフトがマッピングに適用される。図１３の修正マッピングに示したように、６個の変調シンボルの巡回シフトが、隣接する繰り返しの間で適用される。第２の実施形態が、図１３に示した特定のマッピング方式に限定されないことに留意されたい。例えば、巡回シフトは、６個の変調シンボルに限定されないだけでなく、任意の適切な数の変調シンボルであってもよく、各ＰＲＢペア内のサブキャリアの数は、３個に限定されない。
【００４３】
第２の実施形態によれば、変調シンボルの間のバランスの取れた性能を維持しながら、特殊サブフレーム上へとマッピングしようとする通常サブフレームの同じ部分を常に切り詰める（truncate）ことが可能である。図１３の修正マッピングに示したように、通常シンボルの繰り返されるＤＬチャネルの最初から３つのＯＦＤＭシンボルの変調シンボルは、特殊サブフレームのＤｗＰＴＳ上へとマッピングされるために常に切り詰められることができる。ほぼすべての変調シンボルが、巡回シフトのために切り詰められた部分に含まれることができることが分かり、したがって、バランスの取れた性能が、データパケットの変調シンボル間で得られる。対照的に、通常マッピングにおける最初から３つのＯＦＤＭシンボルが特殊サブフレーム上へとマッピングするために常に切り詰められる場合には、変調シンボル＃０〜８だけが、特殊サブフレームで送信されるので、データパケットの変調シンボルの間でアンバランスな性能という結果になる。
【００４４】
第２の実施形態では、通常サブフレームは、図１３に示した通常マッピングなどの他のマッピング方式にも採用することができるが、特殊サブフレームが、巡回シフトを用いたマッピングを利用することに留意されたい。加えて、第１の実施形態のいくつかの実装形態を、別段文脈によって示されない限り第２の実施形態と組み合わせることができる。
【００４５】
第２の実施形態では、別の無線通信装置へ、少なくとも１つの通常サブフレームおよび少なくとも１つの特殊サブフレームを含む複数のサブフレームで繰り返してデータパケットを送信するように構成された送信ユニットを備える無線通信装置（第１の無線通信装置）も提供する。ここでは、特殊サブフレームにおける利用可能なリソースは、通常サブフレームにおけるものとは異なり、データパケットの複数の繰り返しは、各サブフレームで送信され、各特殊サブフレームにおいて、異なる繰り返しは、巡回シフトを用いてリソース要素（Ｒｅｓｏｕｒｃｅ  Ｅｌｅｍｅｎｔ（ＲＥ））上へとマッピングされる。第２の実施形態の第１の無線通信装置の構造は、図９に示した第１の実施形態の構造と同じ構造であってもよい。
【００４６】
したがって、受信側においては、第２の実施形態は、無線通信装置（第２の通信装置）により実行される無線通信方法をも提供する。無線通信方法のフローチャートはここでは、図１０に示したような同じフローチャートであってもよく、別の無線通信装置（第１の通信装置）から、少なくとも１つの通常サブフレームおよび少なくとも１つの特殊サブフレームを含む複数のサブフレームで繰り返して送信されるデータパケットを受信するステップを含む。ここでは、特殊サブフレームにおける利用可能なリソースは、通常サブフレームにおけるものとは異なり、データパケットの複数の繰り返しは、各サブフレームで送信され、各特殊サブフレームにおいて、異なる繰り返しは、巡回シフトを用いてリソース要素（Ｒｅｓｏｕｒｃｅ  Ｅｌｅｍｅｎｔ（ＲＥ））上へとマッピングされる。送信側における方法についての上記の説明は、再度繰り返さないが、受信側における方法にも当てはまることに留意されたい。
【００４７】
さらに、第２の実施形態では、受信側のための無線通信装置（第２の無線通信装置）も提供し、別の無線通信装置（第１の無線通信装置）から、少なくとも１つの通常サブフレームおよび少なくとも１つの特殊サブフレームを含む複数のサブフレームで繰り返して送信されるデータパケットを受信するように構成された受信ユニットを含む。ここでは、特殊サブフレームにおける利用可能なリソースは、通常サブフレームにおけるものとは異なり、データパケットの複数の繰り返しは各サブフレームで送信され、各特殊サブフレームにおいて、異なる繰り返しは、巡回シフトを用いてリソース要素（Ｒｅｓｏｕｒｃｅ  Ｅｌｅｍｅｎｔ（ＲＥ））上へとマッピングされる。第２の実施形態における第２の無線通信装置の構造は、図１１に示した第１の実施形態の構造と同じ構造であってもよい。
【００４８】
本発明を、ソフトウェア、ハードウェア、またはハードウェアと協働してソフトウェアにより実現することができる。上に説明した各実施形態の説明で使用した各機能ブロックを、集積回路としてＬＳＩにより実現することができる。機能ブロックを、チップとして個々に形成することができる、または１つのチップを機能ブロックの一部またはすべてを含むように形成することができる。ＬＳＩをここでは、集積の程度の違いに応じてＩＣ、システムＬＳＩ、スーパーＬＳＩ、またはウルトラＬＳＩと呼ぶことができる。しかしながら、集積回路を実装する技術は、ＬＳＩに限定されず、専用回路または汎用プロセッサを使用することにより実現することができる。加えて、ＬＳＩの製造後にプログラムすることができるＦＰＧＡ（フィールドプログラマブルゲートアレイ（Ｆｉｅｌｄ  Ｐｒｏｇｒａｍｍａｂｌｅ  Ｇａｔｅ  Ａｒｒａｙ））またはＬＳＩ内部に配置された回路セルの接続および設定を再構成可能である再構成可能プロセッサを、使用することができる。さらに、各機能ブロックの計算を、例えば、ＤＳＰまたはＣＰＵを含む計算手段を使用することにより実行することができ、各機能の処理ステップを、実行のためのプログラムとして記録媒体に記録することができる。さらに、ＬＳＩを置き換える集積回路を実装するための技術が、半導体技術または他の派生技術の発展により現れるときには、機能ブロックをこのような技術を使用して集積できることが明らかである。
【００４９】
本発明は、本発明の内容および範囲から逸脱せずに明細書に提示した説明および知られている技術に基づいて当業者により様々に変更されるまたは修正されるものであり、このような変更および応用例が、保護すべきであることを主張する範囲内に入ることが意図されていることに留意されたい。さらに、発明の内容から逸脱しない範囲内で、上に説明した実施形態の構成要素を、任意に組み合わせることができる。
【図１】
2019216469.tif 000004
【図２】
2019216469.tif 000005
【図３】
2019216469.tif 000006
【図４】
2019216469.tif 000007
【図５】
2019216469.tif 000008
【図６】
2019216469.tif 000009
【図７】
2019216469.tif 000010
【図８】
2019216469.tif 000011
【図９】
2019216469.tif 000012
【図１０】
2019216469.tif 000013
【図１１】
2019216469.tif 000014
【図１２】
2019216469.tif 000015
【図１３】
2019216469.tif 000016